(57)【要約】【課題】洗い場パンと浴槽パンとの位置決めを正確に行い、ずれ等を修正し、固定手段により両パンを確実に結合する床パンの結合構造を提供する。【解決手段】硬質弾性材料から形成され端面が略Ｕ字型の鞍型接合ピース３と、洗い場パン１の浴槽側端部に立ち上げられた第１接合部１１と、浴槽パン２の洗い場側端部に立ち上げられた第２接合部２１とからなり、上記鞍型接合ピース３の両側面は一対の脚部３１、３２を構成するとともに、上記第１接合部１１と第２接合部２１とにはそれぞれ位置決め用リブ１１１、２１１が一定間隔で垂設されてなる床パンの結合構造。【選択図】図１
2006169803.tif 000002
【特許請求の範囲】
【請求項１】
硬質弾性材料から形成され端面が略Ｕ字型の鞍型接合ピースと、洗い場パンの浴槽側端部に立ち上げられた第１接合部と、浴槽パンの洗い場側端部に立ち上げられた第２接合部とからなり、上記鞍型接合ピースの両側面は一対の脚部を構成するとともに、上記第１接合部と第２接合部とにはそれぞれ位置決め用リブが一定間隔で垂設されてなる床パンの結合構造。
【請求項２】
上記一対の脚部は、上記第１接合部と第２接合部とを挟むように嵌着するとともに、各脚部は上記位置決め用リブ間に挿入され易いように先細のテーパ面とされた請求項１に記載の床パンの結合構造。
【請求項３】
上記鞍型接合ピースの外周には補強リブが設けられた請求項１に記載の床パンの結合構造。
【発明の詳細な説明】
【技術分野】
【０００１】
本発明は、浴室床パンの結合構造に関する。さらに詳しくは、ユニットバスの洗い場パンと浴槽パンとを結合させる浴室床パンの結合構造に関する。
【背景技術】
【０００２】
ユニットバスの床パンは、通常、洗い場パンと浴槽パンとに分割されてなり、両者を結合するとともに、止水処理を行って床パンとし、上記浴槽パンに浴槽を載置して洗い場付きの浴槽として使用されている。
【特許文献１】特開２００１−３２３４５号公報（第１−３頁、第１図）
【発明の開示】
【発明が解決しようとする課題】
【０００３】
上記洗い場パンと浴槽パンとを結合する公知の技術の一例としては、本願図４の部分断面斜視図に示すように、洗い場パン５の立ち上がり結合部５１と浴槽パン６の立ち上がり結合部６１とを、それぞれに穿たれたネジ孔７を介して固定用ネジ８で固定する構造が知られている。この場合、洗い場パン５と浴槽パン６との位置が決まらず、立ち上がり結合部５１、６１どうしの結合面が開いた状態では、固定用ネジ８の締め付け力により洗い場パン５と浴槽パン６とがずれ動いたり、上記両立ち上がり結合部５１、６１がどちらかの方向に倒れたり、あるいは、締め付けが不完全となる等の問題が生じる。また、両立ち上がり結合部５１、６１の間に水平方向にずれが生じた場合は、ネジ固定が困難となる、あるいはずれた状態のまま、ネジ固定されるという問題が生じる。本発明はこのような問題を解決して、洗い場パンと浴槽パンとの位置決めを正確に行うとともに、ずれ等を修正し、確実にネジ固定等の固定手段により洗い場パンと浴槽パンとを結合する床パンの結合構造を提供することを、その課題とする。
【課題を解決するための手段】
【０００４】
上記課題を解決するために、本発明においては、つぎのような技術的手段を講じている。すなわち、本発明によれば、硬質弾性材料から形成され端面が略Ｕ字型の鞍型接合ピースと、洗い場パンの浴槽側端部に立ち上げられた第１接合部と、浴槽パンの洗い場側端部に立ち上げられた第２接合部とからなり、上記鞍型接合ピースの両側面は一対の脚部を構成するとともに、上記第１接合部と第２接合部とにはそれぞれ位置決め用リブが一定間隔で垂設されてなる床パンの結合構造が提供される。上記硬質弾性材料としては、鉄、ステンレススチール等の金属、または、硬質弾性合成樹脂が用いられる。好ましくは、ポリプロピレン、ＡＢＳ樹脂、ポリカーボネート樹脂等の硬質弾性合成樹脂が用いられる。
【０００５】
上記一対の脚部は第１脚部と第２脚部とからなり、上記第１接合部と第２接合部とを挟むように嵌着するとともに、位置決め用リブ間に挿入され易いようそれぞれ先細のテーパ面とされることが好ましい。また、上記鞍型接合ピースの外周には補強リブが設けられることが好ましい。
【発明の効果】
【０００６】
請求項１に記載の発明は上記のとおりであり、硬質弾性材料から形成され、両側面が一対の脚部を構成する鞍型接合ピースが、洗い場パン端部に立ち上げられた第１接合部と、浴槽パン端部に立ち上げられた第２接合部とにしっかりと嵌着し、上記第１接合部と第２接合部とにそれぞれ一定間隔で垂設された位置決め用リブに上記一対の脚部がそれぞれ挿入されるため、洗い場パンと浴槽パンの位置決めを正確に行えるとともに、ずれ等を修正できる。その後、ネジ等の固定手段で固定することにより洗い場パンと浴槽パンとを確実に結合することができる。
【０００７】
上記一対の脚部は第１脚部と第２脚部とから構成されるとともに、各脚部の下部は、一定間隔で設けられた位置決め用リブ間に挿入し易いように先細のテーパ面とされているため、第１接合部と第２接合部とが水平方向にずれている場合でも、上記各位置決め用リブ間に容易に差し込むことが可能となり、鞍型接合ピースの弾性反発力が働いて位置決め用リブを相対移動させ、ずれを修正することができる。また、上記鞍型接合ピースの外周には補強リブが設けられているため、鞍型接合ピースを補強するとともに、弾性力を強化する。
【発明を実施するための最良の形態】
【０００８】
以下、本発明の実施形態について図面を参照して、詳細に説明する。図１は、本発明にかかる床パンの結合構造を示す部分分解斜視図である。上記床パンの結合構造は、弾性を有する硬質合成樹脂を成形してなり、端面が略Ｕ字型の鞍型接合ピース３と、洗い場パン１の浴槽側端部に立ち上げられた第１接合部１１と、浴槽パン２の洗い場側端部に立ち上げられた第２接合部２１とからなるとともに、第１接合部１１には第１位置決め用リブ１１１が、第２接合部２１には第２位置決め用リブ２１１が一定間隔で垂設されている。また、第１接合部１１と第２接合部２１には各々ネジ孔４が穿たれ、このネジ孔４を介してネジ固定することにより、洗い場パン１と浴槽パン２とが最終的にしっかりと結合される。
【０００９】
上記鞍型接合ピース３は第１脚部３１と第２脚部３２とからなる一対の脚部を有し、図１に示す矢印の方向に押し込まれて第１接合部１１と第２接合部２１とを挟み込むように嵌着する。同時に上記第１脚部３１は上記第１接合部１１に垂設された第１位置決め用リブ１１１間に挿入され、第２脚部３２は上記第２接合部２１に垂設された第２位置決め用リブ２１１間に挿入される。このとき、図１に示すように鞍型接合ピース３の幅ｄ３は、第１位置決め用リブ１１１間の幅ｄ１と略同じか小とされ、且つ、第２位置決め用リブ２１１間の幅ｄ２と略同じか小とされる。符号３３は補強リブを示し、上記鞍型接合ピース３の外周に設けられて鞍型接合ピース３を補強するとともに、弾性力を強化する。
【００１０】
図２は上記鞍型接合ピース３を洗い場側から見た正面図である。図２からよくわかるように、鞍型接合ピース３は上記したように幅ｄ３を有するとともに、その第１脚部３１は、上記の第１位置決め用リブ１１１間に挿入され易いよう先細にテーパ面とされている。図示しないが、第２脚部３２にも同様に、先細のテーパ面とされている。
【００１１】
図３（ａ）、図３（ｂ）、図３（ｃ）は、上記のように構成された鞍型接合ピース３の作用機作を示す平面図である。図３（ａ）は、第１接合部１１と第２接合部１２との接合面が開いているとともに、水平方向にずれた第１接合部１１と第２接合部１２とを鞍型接合ピース３で嵌着する状態を示す。図３（ｂ）は、上記一対の脚部の有する強力な弾性力により、上記接合面が図３（ａ）に矢印で示すように締め付けられるとともに、第１接合部１１と第２接合部１２との水平方向のずれを修正する状態を示す。すなわち、図３（ｂ）は、第１脚部３１のテーパ面を第１位置決め用リブ１１１間に挿入するとともに、第２脚部３２のテーパ面を第２位置決め用リブ１２１間に挿入する状態を示す。
【００１２】
引き続き、第１脚部３１と第２脚部３２とを差し込んでいくと、差し込み部位がテーパ面から上方となるにしたがって第１接合部１１と第２接合部１２とは矢印の方向に相対移動し、ずれを修正しながら一対の脚部全体の挿入が完了する。かくして、図３（ｃ）に示すように第１接合部と第２接合部とは一対の脚部によって挟み込まれ、鞍型接合ピース３によって嵌着される。このように、第１接合部１１と第２接合部１２とをぴったりと接合し、水平方向のずれを修正した後に、図１に示すネジ孔４を介してネジ固定することにより、洗い場パン１と浴槽パン２とをしっかりと結合させることができる。
【００１３】
なお、上記実施形態は、鞍型接合ピース３が１個の場合について述べたが、複数個使用することが好ましい。例えば、上記ネジ孔４と鞍型接合ピース３とを交互に使用し、第１接合部１１と第２接合部１２とをしっかりと接合させた後、ネジ固定することが好ましい。また、複数個の鞍型接合ピース３を用いることにより洗い場パン１と浴槽パン２とをしっかりと接合できれば、化粧カバーで覆い、そのまま、浴室床パンとしてもよい。このように本発明は種々設計変更可能であり、いずれも本発明の技術的範囲に属する。
【図面の簡単な説明】
【００１４】
【図１】本発明にかかる床パンの結合構造を示す部分分解斜視図である。
【図２】本発明にかかる鞍型接合ピースを洗い場側から見た正面図である。
【図３】（ａ）本発明にかかる鞍型接合ピースの作用機作を示す平面図である。
【００１５】
（ｂ）本発明にかかる鞍型接合ピースの作用機作を示す平面図である。
【００１６】
（ｃ）本発明にかかる鞍型接合ピースの作用機作を示す平面図である。
【図４】公知の床パンの結合構造を示す部分断面斜視図である。
【符号の説明】
【００１７】
１          洗い場パン
１１        第１接合部
１１１      第１位置決め用リブ
２          浴槽パン
２１        第２接合部
２１１      第２位置決め用リブ
３          鞍型接合ピース
３１        第１脚部
３２        第２脚部
３３        補強リブ
４          ネジ孔
５          公知の洗い場パン
５１        上記に設けられた立ち上がり結合部
６          公知の浴槽パン
６１        上記に設けられた立ち上がり結合部
７          ネジ孔
８          固定用ネジ
【図１】
2006169803.tif 000003
【図２】
2006169803.tif 000004
【図３】
2006169803.tif 000005
【図４】
2006169803.tif 000006